(57)【要約】【課題】冷凍サイクル装置から漏れた可燃性冷媒が脱臭装置の両電極間の異常放電により万一発火したとしても、燃焼が外部へ広がることを防止する。【解決手段】冷蔵庫の冷気通路に配置される脱臭装置１７の光触媒ユニット２５において、対向する両電極４４，４０間のコロナ放電に伴って紫外線及びオゾンが発生する。紫外線を受けた光触媒モジュール４１の酸化チタンが活性化して臭気成分やエチレンガスを分解し、また、オゾンによっても臭気成分を分解する。ここで、冷凍サイクル装置から可燃性冷媒であるイソブタンが漏れ、そのガスが、両電極４０，４４間のアーク放電により燃焼したとしても、放電電極４４の外側の消炎網４６と、消炎金網を兼ねる対電極４０とには消炎作用があり、その燃焼が消炎網４６及び対電極４０から外側へ広がることが防止される。【選択図】  図１
2004190920.tif 000002
【特許請求の範囲】
【請求項１】
可燃性冷媒が液体から気体に相変化する際の吸熱作用により庫内を冷却する冷凍サイクル装置と、
対向配置されて高電圧が印加される放電電極及び対電極を有し、これら両電極間の放電に伴って発生するオゾンにより庫内空気に含まれる臭気成分を分解する機能を備えた脱臭装置とを備えた冷蔵庫において、
前記放電電極の前記対電極とは反対側でかつ当該放電電極の近傍に位置させて、電気絶縁性を有すると共に消炎作用を有する消炎網を設け、前記対電極は、消炎作用を有する消炎金網を兼ねる構成としたことを特徴とする冷蔵庫。
【発明の詳細な説明】
【０００１】
【発明の属する技術分野】
本発明は、可燃性冷媒が液体から気体に相変化する際の吸熱作用により庫内を冷却する冷凍サイクル装置を備えた冷蔵庫に関する。
【０００２】
【発明が解決しようとする課題】
近年、電極間の高電圧の放電により発生するオゾンを利用して庫内の脱臭を図る脱臭装置を備えた冷蔵庫が供されている。
ところで、冷蔵庫の冷凍サイクル装置の冷媒としては、一般的には不燃性のフロンを用いるようにしており、冷凍サイクル装置から冷媒が漏れるにしても着火することはなく、高電圧の放電を用いた脱臭装置を備えるにしても問題を生じることはなかった。
【０００３】
しかしながら、近年の環境問題の高まりから、オゾン層破壊の要因と考えられているフロンガスの使用を禁止することが要求されており、その代替ガスとしてイソブタンの使用が検討されているものの、このイソブタンは炭化水素をベースとしていることから、上記脱臭装置の電極に導電塵が付着した場合等に火花放電が発生すると、これが着火源となり、冷凍サイクル装置から漏れたイソブタンが発火する虞がある。
【０００４】
本発明は上記事情に鑑みてなされたもので、その目的は、高電圧の放電により発生するオゾンを利用して庫内空気に含まれる臭気成分を分解する脱臭装置を備えた構成において、冷凍サイクル装置から漏れた可燃性冷媒が脱臭装置の異常放電（火花放電）により万一発火したとしても、炎が外部に伝搬せず、それが大きな燃焼となることを防止できる安全な冷蔵庫を提供することにある。
【０００５】
【課題を解決するための手段】
上記した目的を達成するために、請求項１の発明は、可燃性冷媒が液体から気体に相変化する際の吸熱作用により庫内を冷却する冷凍サイクル装置と、対向配置されて高電圧が印加される放電電極及び対電極を有し、これら両電極間の放電に伴って発生するオゾンにより庫内空気に含まれる臭気成分を分解する機能を備えた脱臭装置とを備えた冷蔵庫において、前記放電電極の前記対電極とは反対側でかつ当該放電電極の近傍に位置させて、電気絶縁性を有すると共に消炎作用を有する消炎網を設け、前記対電極は、消炎作用を有する消炎金網を兼ねる構成としたことを特徴とする。
【０００６】
このような構成によれば、冷凍サイクル装置が動作すると、可燃性冷媒が相変化する際の吸熱作用により庫内が冷却される。また、脱臭装置の放電電極と対電極との間の放電によりオゾンが発生し、庫内空気に含まれる臭気成分を酸化力が強いオゾンにより分解することができる。
【０００７】
さて、上記構成において、冷凍サイクル装置から可燃性冷媒の漏れが発生した場合、脱臭装置の両電極が位置する雰囲気中の可燃性冷媒の濃度が上昇することが考えられる。このとき、両電極間の放電としてコロナ放電が生じている場合は、可燃性冷媒が燃焼することはないものの、異常なアーク放電（火花放電）が生じた場合は、両電極間で上記可燃性冷媒が発火燃焼することがある。この場合、放電電極の外側に配置された消炎網と、消炎金網を兼ねる対電極とには消炎作用があり、これらの間で仮に燃焼が発生したとしても、その燃焼がそれら消炎網及び対電極から外側へ広がることが防止され、それら消炎網及び対電極を通じて外部へ延焼することが防止されるから、大きな燃焼となることはなく、燃焼温度が過度に上昇することを防止できると共に、発煙も防止できる。
【０００８】
しかもこの場合、放電電極の外側に配置された消炎網は、電気絶縁性を有する構成としているので、放電電極の近傍に配置することができ、また、対電極は消炎金網を兼ねる構成となっているため、放電電極側の消炎網と消炎金網を兼ねる対電極との間の距離を極力小さくでき、ひいてはそれらの間に形成される燃焼室の体積を極力小さくすることができる。このため、放電電極側の消炎網と対電極との間で燃焼が発生しても、その燃焼による温度上昇を一層抑えることが可能となる。
【０００９】
【発明の実施の形態】
以下、本発明の一実施例を図面を参照して説明する。
図２は、ボトムフリーザタイプの冷蔵庫本体１の構成を概略的に示す断面図である。この図２において、冷蔵庫本体１は、前面が開口した縦長矩形箱状の断熱箱体２内に、上段から順に、冷蔵室３、野菜室４、切替室５、冷凍室６を有して構成されていると共に、各室３〜６は、ヒンジ開閉式の冷蔵室扉７、引出式の野菜室扉８、切替室扉９、冷凍室扉１０によりそれぞれ閉塞されている。尚、図２には図示していないが、切替室５に並んで製氷用冷凍室が設けられており、図示しない製氷用冷凍室扉により閉塞されている。
【００１０】
冷蔵室３及び野菜室４の間は仕切板１１により上下に区画されており、野菜室４内には、野菜室扉８の裏面側に連結された野菜貯蔵容器１２が出し入れ可能に収納されている。野菜室４と切替室５及び図示しない製氷用冷凍室との間は、断熱箱体２に一体に設けられた断熱仕切壁１３により上下に区画されている。
切替室５及び製氷用冷凍室と冷凍室６との間は断熱仕切壁１４によって上下に区画されていると共に、切替室５と製氷用冷凍室との間も図示しない断熱仕切壁によって左右に区画されており、これにより切替室５は他の室とは空間的及び熱的に独立した形態に構成されている。この切替室５内には、切替室扉９の裏面側に連結された貯蔵容器１５が出し入れ可能に収納されている。そして、冷凍室６内には、冷凍室扉１０の裏面側に連結された貯蔵容器１６が出し入れ可能に収納されている。
【００１１】
さて、冷蔵室３と野菜室４とを仕切る仕切板１１の上面側には脱臭装置１７が配設されている。
図３は仕切板１１から取外した脱臭装置１７を分解して示す斜視図である。この図３において、仕切板１１には、脱臭装置１７を装着するための取付凹部１８が形成されていると共に、その取付凹部１８の両側には、庫内の循環冷気を脱臭装置１７を介さずに冷蔵室３から野菜室４に直接流入させるための複数の流通口１９が形成されている。取付凹部１８の底部には、長円状の複数の水抜き孔２０が形成されており、使用者が誤って冷蔵室３内に水等をこぼしたときに、その水等が脱臭装置１７に侵入することを防止するようになっている。
【００１２】
上記脱臭装置１７は、容器状のケース本体２１及び当該ケース本体２１の上面開口部を覆うカバー２２からなるユニットケース２３と、ケース本体２１内に配置される昇圧トランス２４、光触媒ユニット２５、オゾン分解触媒２６とから構成されている。
ケース本体２１内には、仕切壁によってトランス室２７及び冷気流通路２８が形成されており、トランス室２７の内部には、昇圧トランス２４が配置され、冷気流通路２８には、光触媒ユニット２５が配置され、さらに、冷気流通路２８の最下流側には、オゾン分解触媒２６が配置される（図１参照）。この場合、ケース本体２１においてオゾン分解触媒２６の配置部分の底部には多数の通気孔２９が形成されており、脱臭装置１７が取付凹部１８に装着された状態では、その通気孔２９が、仕切板１１の底部に形成された開口部３０に連通するようになっている。
【００１３】
上記カバー２２は、その下面に立設されたボス部３１をケース本体２１に形成された孔部３２に挿通した状態で、ケース本体２１の下方からねじ３３を螺挿することによりケース本体２１に取付けられる。カバー２２の前端には、下方に延びる前カバー部３４が一体に形成されており、この前カバー部３４に、スリット状の通気口３４ａが多数個形成されている。カバー２２をケース本体２１に取付けた状態で、図１に示すように前カバー部３４の下端部がケース本体２１の前端部に当接するようになっており、これにより、ユニットケース２３内に異物が侵入することが防止されている。
そして、上記構成の脱臭装置１７は、カバー２２の後端部に形成された孔部３５を、取付凹部１８の後側縁部に形成された孔（図示せず）に合わせた状態で、上方からワンタッチファスナ３６を挿入することにより取付凹部１８に装着されている。
【００１４】
次に、上記脱臭装置１７を構成する昇圧トランス２４、光触媒ユニット２５、オゾン分解触媒２６について詳述する。
図３において、光触媒ユニット２５には、昇圧トランス２４が接続されるようになっており、この昇圧トランス２４から所定の高電圧が光触媒ユニット２５に給電されるようになっている。この昇圧トランス２４は、図示しない１次コイル、２次コイル、磁心等を合成樹脂によりモールド成形することにより構成されており、給電線３７からの給電電圧を所定電圧に昇圧して２次側端子３８から出力するようになっている。
【００１５】
図４は光触媒ユニット２５の分解斜視図である。この図４において、光触媒ユニット２５は、第１ケース３９と、この第１ケース３９内に収容された対電極４０と、光触媒モジュール４１と、この光触媒モジュール４１を挟むように配置された緩衝部材としてのスペーサ４２，４３と、上記対電極４０と対向するように配置された放電電極４４と、この放電電極４４の上記対電極４０とは反対側である図４の上側に防爆用スペーサ４５を介して配置された消炎網４６と、上記第１ケース３９に装着される第２ケース４７とから構成されている。
【００１６】
対電極４０は、メッシュ状電極部４０ａと端子部４０ｂとから構成され、放電電極４４も、メッシュ状電極部４４ａと端子部４４ｂとから構成されている。これら対電極４０及び放電電極４４は、共に耐オゾン性の高い材料であるステンレスにより形成されている。対電極４０のメッシュ状電極部４０ａは、放電電極４４のメッシュ状電極部４４ａよりも目が細かく形成されていて、消炎作用を有する消炎金網の機能も有していて、消炎金網を兼ねる構成となっている。スペーサ４２，４３、及び防爆用スペーサ４５は、いずれも難燃性のシリコンゴムから形成されており、矩形状窓部４２ａ、４３ａ、４５ａをそれぞれ連結した枠状に形成されている。
【００１７】
光触媒モジュール４１は、多孔質状のセラミック（アルミナ、シリカ等）からなる矩形板状のコア材の表面に酸化チタン等の光触媒材料を塗布し、乾燥または焼結することにより形成されている。消炎網４６は、例えばフッ素樹脂により網状に形成されたもので、電気絶縁性を有していると共に消炎作用を有している。
【００１８】
上記第１ケース３９には収納凹部４８が形成されており、その収納凹部４８に、対電極４０のメッシュ状電極部４０ａ、スペーサ４２、光触媒モジュール４１、スペーサ４３、放電電極４４のメッシュ状電極部４４ａ、防爆用スペーサ４５、消炎網４６が順に収容される。また、第１ケース３９には、収納凹部４８に連通した端子配置部４８ａ及び４８ｂが形成されており、その端子配置部４８ａ及び４８ｂに、対電極４０及び放電電極４４の端子部４０ｂ及び４４ｂがそれぞれ配置される。
【００１９】
第１ケース３９に上記各部材を収容状態で、第２ケース４７を第１ケース３９に係合により装着することにより、光触媒ユニット２５が組み立てられる。第１ケース３９及び第２ケース４７には、対電極４０のメッシュ状電極部４０ａ及び消炎網４６に対応する部位に、通気用の窓部３９ａ，４７ａが形成されている。この場合、図１に示すように、消炎金網を兼ねる対電極４０と、これと対向する消炎網４６と、第１ケース３９により囲繞された空間により燃焼室４９が形成されている。
【００２０】
そして、上記昇圧トランス２４を光触媒ユニット２５に接続することにより昇圧トランス２４の２次側端子３８が光触媒ユニット２５の対電極４０及び放電電極４４に電気的に接続され、昇圧トランス２４から光触媒ユニット２５に対する高電圧の給電が可能となる。図１に示すように、光触媒ユニット２５は、第１ケース３９の窓部３９ａを上記前カバー部３４の通気口３４ａに臨ませる状態で、ユニットケース２３内に配置される。
【００２１】
上記オゾン分解触媒２６は、例えば酸化マンガンベースのセラミック製ハニカム（成形品）或は金属ハニカムを矩形板状に成形してコア材としたものに、触媒成分を固着して構成されている。このようにハニカム構造とすることで、オゾン分解触媒とオゾンや臭気成分との接触面積をより大きく確保することができ、分解効率を向上させるようにしている。このオゾン分解触媒２６は、紫外線が照射されることによりオゾン分解触媒として機能するようになっており、ハニカム形状による通気方向が上下方向となるようにして、ユニットケース２３内において上記通気孔２９上に位置するように配置されている。
【００２２】
一方、図２に示すように冷蔵庫本体１の背面部には冷凍サイクル装置５１が組込まれている。つまり、野菜室４の背面側部分には、冷蔵室用蒸発器室（以下、Ｒエバ室）５２が形成されており、このＲエバ室５２内には、冷凍サイクル装置５１を構成する冷蔵室用蒸発器（以下、Ｒエバ）５３が設けられていると共に、その上部に位置して可変速駆動可能（例えば１８００〜２４００ｒｐｍ  ）な冷蔵室用送風ファン（以下、Ｒファン）５４が設けられている。このＲファン５４が駆動された状態では、Ｒエバ５３により生成された冷気が、冷気ダクト５５を通じて冷蔵室３に供給されると共に冷気吐出口５６を通じて野菜室４に供給された後、再びＲエバ室５２内の下部に戻されるという循環が行われるようになっている。尚、Ｒエバ室５２内には、Ｒエバ除霜ヒータ５７が設けられている。
【００２３】
また、切替室５及び図示しない製氷用冷凍室並びに冷凍室６の上下に跨がる背面側部分には、冷凍室用蒸発器室（以下、Ｆエバ室）５８が形成されており、このＦエバ室５８内には、冷凍サイクル装置５１を構成する冷凍室用蒸発器（以下、Ｆエバ）５９が設けられていると共に、その上部に位置して可変速駆動可能  （例えば１８００〜２４００ｒｐｍ  ）な冷凍室用送風ファン（以下、Ｆファン）６０が設けられている。尚、Ｆエバ室５８の下方部には、Ｆエバ除霜ヒータ６１が設けられている。
【００２４】
ここで、Ｆエバ室５８に設けられたＦファン６０の下流側（冷気の吹出側）は、切替室５につながる冷気流路と、冷凍室６につながる冷気流路とに分岐され、そのうち切替室５につながる冷気流路内には、後述する制御装置により開閉制御される切替室用ダンパ６２が設けられている。
【００２５】
切替室用ダンパ６２が閉塞された状態でＦファン６０が駆動された場合は、Ｆエバ５９により生成された冷気が、冷凍室６及び図示しない製氷用冷凍室に供給された後、再びＦエバ室５８内の下部に戻されるという循環が行われるようになっている。これに対し、切替室用ダンパ６２が開放（或いは一部開放）された状態でＦファン６０が駆動された場合は、冷気が冷凍室６及び製氷用冷凍室へ供給されるのに加えて、切替室５にも供給された後、再びＦエバ室５８内の下部に戻されるという循環が行われるようになっている。
【００２６】
冷蔵庫本体１の下端部背面部には機械室６３が形成されており、この機械室６３内には、冷凍サイクル装置５１を構成するコンプレッサ（圧縮機）６４が設けられていると共に、コンプレッサ６４及び後述するコンデンサ（凝縮器）６５  （図５参照）を冷却するための冷却ファン（以下、Ｃファン）６６が設けられている。このコンプレッサ６４は、インバータ制御により可変速で駆動（例えばインバータの運転周波数が３０〜７０Ｈｚ）されるようになっており、また、Ｃファン６６も可変速駆動（例えば１８００〜２０００ｒｐｍ  ）されるようになっている。
【００２７】
図５は、冷凍サイクル装置５１の構成を概略的に示している。この冷凍サイクル装置５１は、コンプレッサ６４、コンデンサ６５、冷媒流路切替手段たる切替弁（三方弁）６７、この切替弁６７の第１出口６７ａに接続される第１キャピラリチューブ６８、Ｒエバ５３、Ｆエバ５９を順に冷媒パイプにより閉ループに接続すると共に、切替弁６７の第２出口６７ｂに接続される第２キャピラリチューブ６９をＲエバ５３とＦエバ５９との間に接続して構成されており、第２キャピラリチューブ６９が第１キャピラリチューブ６８及びＲエバ５３をバイパスした形態となっている。
【００２８】
このような構成により、切替弁６７が第１出口側６７ａに切替えられた状態では、コンプレッサ６４の駆動により冷媒がコンデンサ６５等を通った後、第１キャピラリチューブ６８を通ってＲエバ５３及びＦエバ５９を順に流れてコンプレッサ６４に戻されるようになっている。これに対し、切替弁６７が第２出口側６７ｂに切替えられた状態では、コンプレッサ６４の駆動により冷媒がコンデンサ６５等を通った後、第２キャピラリチューブ６９を通ってＦエバ５９のみに供給された後、コンプレッサ６４に戻されるようになっている。
ここで、この冷凍サイクル装置５１にあっては、内部に封入された冷媒は環境対策のためにイソブタンが用いられており、可燃性を有する。
【００２９】
次に、本実施例の作用について説明する。
Ｒエバ室５２で生成された冷気（庫内空気）は、図２に矢印で示すように、冷気吐出口５６から野菜室４に吐出され、Ｒエバ室５２に戻される一方で、冷気ダクト５５を通って上昇し、冷蔵室３内に吐出され、その大部分は仕切板１１に形成された流通口１９を通して野菜室４に直接流入する。また、流通口１９を通過しなかった冷気（庫内空気）は、仕切板１１に配置された脱臭装置１７の通気口３４ａからユニットケース２３内に進入し、図１に矢印で示すように、光触媒ユニット２５を通過した後、オゾン分解触媒２６を通過し、通気孔２９から野菜室４を通じてＲエバ室５２に戻る。
【００３０】
さて、光触媒ユニット２５においては、放電電極４４と対電極４０との間に昇圧トランス２４から８．８ＫＶのインパルス状の高電圧が周期的に印加され、メッシュ状電極部４４ａ及び４０ａ間でコロナ放電が発生する。このコロナ放電は、メッシュ状電極部４４ａ及び４０ａの表面で電子が飛んで移動するレベルの放電であり、電極をやせさせるようなエネルギーはなく、継続的に使用することができ、分子レベルでは、電子の受渡し時にプラズマ状態となり、紫外線（波長３８０ｎｍ以下）が発生すると同時に、再結合時に酸素がオゾンに変化する。
【００３１】
さて、上述したように両電極４４，４０間のコロナ放電に伴って紫外線が光触媒モジュール４１に照射されると、酸化チタンがその紫外線の光エネルギーを受け活性を帯びて光触媒作用をなし、冷気に含まれているアンモニア等の臭気成分や鮮度悪化成分であるエチレンガスを分解する。特に、本実施例では、両電極４４，４０間に光触媒モジュール４１を配置するようにしたので、コロナ放電に伴って無指向性で放射される紫外線を光触媒モジュール４１に有効に作用させることができる。
【００３２】
また、コロナ放電によって発生したオゾンは、冷気に含まれた状態でオゾン分解触媒２６を通過する。このとき、オゾン分解触媒２６では、オゾンが分解されて活性酸素が発生し、その活性酸素の酸化力によって冷気に含まれているアミン系やアンモニア等の臭気成分が酸化分解される。即ち、冷気中のエチレンガスは光触媒モジュールにおいて、アミン系やアンモニア等の臭気成分は光触媒モジュール４１及びオゾン分解触媒２６の両方において分解される。
【００３３】
そして、脱臭装置１７において脱臭された冷気は、ユニットケース２３に形成された通気孔２９及び仕切板１１に形成された開口部３０を通って野菜室４に流入することによりＲエバ室５２に戻される。
以上のようにして、Ｒエバ室５２で生成した冷気により、冷蔵室３及び野菜室４を冷却することができると共に、冷気（庫内空気）に含まれる臭気成分を分解することができる。
【００３４】
ところで、冷凍サイクル装置５１は複数の構成要素を冷媒管で連結して構成されているので、それらの継目に異常が発生したときは、内部に封入されている可燃性のイソブタンが漏れることがある。このようにイソブタンが漏れた場合、冷気に含まれるイソブタン濃度が徐々に上昇し、脱臭装置１７の光触媒ユニット２５が位置する雰囲気中のイソブタン濃度も上昇することが考えられる。この場合、本実施例では、光触媒ユニット２５における両電極４４，４０間の距離は約８．５ｍｍ、印加電圧は８．８ｋＶに設定されており、このような設定条件では、両電極４４，４０間の放電はエネルギーの小さなコロナ放電であることから、雰囲気中におけるイソブタン濃度が高い状態であっても、冷気に含まれるイソブタンが発火燃焼することはない。
【００３５】
しかしながら、何らかの要因でメッシュ状電極部４４ａ，４０ａの一部が折れ曲がって電極間距離が短くなったり、放電電圧が上昇したり、メッシュ状電極部４４ａ，４０ａ間に導電性の異物が位置すると、異常放電であるアーク（火花）放電が発生する。このアーク放電は、メッシュ状電極部４４ａ，４０ａ間の空気層の絶縁が破壊された状態で、大きな電流が流れることからエネルギーが大きく、雰囲気中のイソブタン濃度が高くなると、イソブタンガスが発火燃焼する虞がある。この場合、脱臭装置１７が冷気通路に設置されていることから、燃焼体積が大きくなり、庫内温度が過度に上昇する虞がある。
【００３６】
ここで、本実施例においては、放電電極４４の外側に配置された消炎網４６と、消炎金網を兼ねる対電極４０とには消炎作用があり、これらの間で仮に発火燃焼が発生したとしても、その燃焼がそれら消炎網４６及び対電極４０から外側へ広がることが防止され、それら消炎網４６及び対電極４０を通じて外部へ延焼することが防止されるから、大きな燃焼となることはなく、燃焼温度が過度に上昇することを防止できると共に、発煙も防止できる。
【００３７】
しかもこの場合、放電電極４４の外側に配置された消炎網４６は、電気絶縁性を有する構成としているので、放電電極４４の近傍に配置することができ、また、対電極４０は消炎金網を兼ねる構成となっているため、放電電極４４側の消炎網４６と消炎金網を兼ねる対電極４０との間の距離Ａを極力小さくでき、ひいてはそれらの間に形成される燃焼室４９の体積を極力小さくすることができる。このため、放電電極４４側の消炎網４６と対電極４０との間で発火燃焼が発生しても、燃焼による温度上昇を一層抑えることが可能となる（例えば５０℃〜６０℃）。
【００３８】
ちなみに、図６には、本実施例の光触媒ユニット２５と比較するための比較例を示す。この図６において、上記した実施例と同一の部分には同一の符号を付して説明は省略し、異なる部分についてのみ説明する。
すなわち、光触媒ユニット７１において、対電極７２の放電電極４４とは反対側の外側に、消炎金網７３をスペーサ７４を介して配置すると共に、放電電極４４の対電極７２とは反対側の外側で、かつ第２ケース４７の外側に位置させて、金属製の消炎金網７５をスペーサ７６を介して配置する。そして、第１及び第２ケース３９，４７の外側に、金網カバー７７，７８を配置している。金網カバー７８の外側には、７６℃以上になると溶断する温度ヒューズ７９を設けている。この場合、放電電極４４と当該放電電極４４側の消炎金網７５との間の距離Ｂ１は、放電電極４４と対電極７２との間の距離Ｂ２よりも大となるように設定している（Ｂ１＞Ｂ２）。
【００３９】
上記構成において、放電電極４４と対電極７２が位置する雰囲気中のイソブタンの濃度が上昇すると共に、両電極４４，７２間で異常なアーク放電が発生し、イソブタンガスの燃焼が発生した場合、上記消炎金網７３，７５の消炎作用により、燃焼が外部へ広がることが防止される。このとき、消炎金網７３，７５間での燃焼が外部へ広がることが防止されるものの、消炎金網７３，７５間の距離Ｂ３が大きく、燃焼室の体積が大きいため、そのイソブタンガスの間欠燃焼に伴い、金網カバー７７，７８内の温度が上昇し、その温度が７６℃に達する虞がある。このため、その温度７６℃に達した場合、温度ヒューズ７９が溶断して、脱臭装置１７への電源の供給が遮断され、放電が停止される構成となっている。
【００４０】
これに対して、上記した本実施例においては、消炎作用を有する放電電極４４側の消炎網４６と消炎金網を兼ねる対電極４０との間の距離Ａを、上記比較例における消炎金網７３，７５間の距離Ｂ３に比べて小さく設定しているので、燃焼室４９の体積を上記した比較例よりも小さくできる。このため、その燃焼室４９での温度上昇を一層抑えることができるため、温度ヒューズ７９をなくすることも可能になる。
【００４１】
本発明は、上記した実施例にのみ限定されるものではなく、次のように変形または拡張できる。
放電電極４４側の消炎網４６は、金属製の金網の表面にフッ素樹脂等の電気絶縁材をコーティングすることにより、電気絶縁性を有する構成としても良い。    放電電極４４側の消炎網４６及び対電極４０の周囲の端面を難燃性のゴム、例えばシリコンゴムで覆う構成としても良い。このような構成とした場合には、網のほつれなどを防止でき、アーク放電が起きることを一層防止できると共に、取り扱いが容易になる利点がある。
【００４２】
なお、本発明のように消炎金網と対電極とを兼ねる構成については、高電圧を利用する電気部品、例えばマイナスイオン発生装置等、種々の転用が可能である。
【００４３】
【発明の効果】
本発明によれば、冷凍サイクル装置から漏れた可燃性冷媒が脱臭装置の両電極間の異常放電により万一発火したとしても、燃焼が外部へ広がることを確実に防止することができるという優れた効果を奏する。
【図面の簡単な説明】
【図１】本発明の一実施例を示す脱臭装置の縦断側面図
【図２】冷蔵庫の縦断側面図
【図３】脱臭装置の分解斜視図
【図４】光触媒ユニットの分解斜視図
【図５】冷凍サイクル装置の概略構成図
【図６】本発明の比較例を示す光触媒ユニットの縦断側面図
【符号の説明】
１は冷蔵庫本体、１７は脱臭装置、２４は昇圧トランス、２５は光触媒ユニット、２６はオゾン分解触媒、４０は対電極（消炎金網）、４４は放電電極、４６は消炎網、４９は燃焼室、５１は冷凍サイクル装置を示す。
【図１】
2004190920.tif 000003
【図２】
2004190920.tif 000004
【図３】
2004190920.tif 000005
【図４】
2004190920.tif 000006
【図５】
2004190920.tif 000007
【図６】
2004190920.tif 000008